(57)【要約】      （修正有）【課題】状況に合わせて異なるアクセサリを取り替えることで多数の外観が確立され得るように容易な着脱が可能なアセンブリおよび収納用品を提供する。【解決手段】中身を運搬するための空間を生成する収容部本体１０と、この収容部本体に着脱可能に装着される取替部分とを具備する。取替部分は、底面パネル２３と、底面パネルの片側に接続される前面区分２１と、前面区分と反対である底面パネルの第２側に接続される背面区分２２と、一つ以上のハンドルとを具備し、いかなる側面部分にも装着されていない開放端部である少なくとも二つの側を底面パネルが有し、一つ以上のハンドルの二つの端部が前面および背面区分に接続される。一つ以上のハンドルの各々は、収容部本体により隠蔽または被覆される内側部３１（内側ストラップ）と、露出した外側部分３２とを具備する。さらに、少なくとも一つの接続手段４０を具備する。【選択図】図１
0003188699.tif 000002
【実用新案登録請求の範囲】
【請求項１】
収納用品に装着され得る着脱可能アセンブリであって、
前記収納用品を支持するための底面パネルと、
前面区分および背面区分であって、前記底面パネルの二つの両側に接続される前面および背面区分と、
前記前面または背面区分あるいは両方に接続される一つ以上のハンドルと、
を具備し、
前記一つ以上のハンドルの各々が、前記収納用品の溝部を通る内側部を具備して、見えないように内側部を部分的に隠蔽するとともに前記着脱可能アセンブリを前記収納用品に確実に固定する、
着脱可能アセンブリ。
【請求項２】
前記一つ以上のハンドルが第１環状ストラップと第２環状ストラップとを具備し、前記第１環状ストラップが前記背面区分に接続される二つの端部を有して、前記第２環状ストラップが前記前面区分に接続される二つの端部を有し、前記第１および第２環状ストラップの前記二つの端部の間の長さが調節可能である、請求項１に記載の着脱可能アセンブリ。
【請求項３】
一つ以上の接続手段をさらに具備する、請求項２に記載のハンドルアセンブリ。
【請求項４】
前記接続手段がボタン、バックル、フック、磁気クラスプ、または面ファスナである、請求項３に記載のハンドルアセンブリ。
【請求項５】
中身を運搬するための空間を生成する収容部本体と、
前記収容部本体に着脱可能に装着される取替部分であって、底面パネルと、前記底面パネルの片側に接続される前面区分と、前記前面区分と反対である前記底面パネルの第２側に接続される背面区分とを具備する取替部分であり、いかなる側面部分にも装着されていない開放端部である少なくとも二つの側を前記底面パネルが有する、取替部分と、
一つ以上のハンドルであって、前記前面および背面区分に両端部が接続される一つ以上のハンドルと、
前記収容部本体を前記取替部分に固定する一つ以上の接続手段と、
を具備し、
前記一つ以上のハンドルの各々が、前記収容部本体により被覆される内側部と、露出される外側部とを具備する、
収納用品。
【考案の詳細な説明】
【技術分野】
【０００１】
（著作権表示）
本特許文書の開示の一部分は、著作権保護の対象となる資料を含む。著作権者は、特許商標庁の特許包袋または記録に出現する際には特許文書または特許開示のいずれかのファクシミリ複製に対して異議を唱えないが、それ以外ではあらゆる著作権をすべて保有する。
本発明は、収納用品の分野のものである。より詳しく述べると、本発明は、交換可能な外観または用途のための取替ユニットを含む収納用品に関連する。
【背景技術】
【０００２】
従来のファッションアクセサリ製品（ハンドバックおよびブリーフケースなど）のデザイン、生産、販売プロセスでは、製品の外観、色、形状、および使途が製品デザイン段階で概ね決定される。製品が購入された後で、外観、色、形状、および他のパラメータは変更不可能で、そのため同じ製品について用途および装用状況は限定される。多数の装用コーディネートおよび状況に合わせて異なるアクセサリを取り替えることにより多数の外観が確立され得るように簡単に交換可能な美的機能を持つハンドバッグおよびアクセサリを用意する必要がある。
【考案の概要】
【考案が解決しようとする課題】
【０００３】
利用者の必要性に従って収納用品の美的外観が変更可能であるがゆえに製品の寿命および有用性を拡大するように構成された取替アクセサリを含む収納用品を用意することが、本発明の目的である。本発明は、取替部分に確実に固定される収容部本体を具備し、本発明の取替特徴が収納用品の美的外観およびデザインを制限しないか、これにほとんどまたはまったく影響を与えないように、取替部分の一部が隠蔽可能である。取替部分は、収納用品に装着され得る着脱可能アセンブリである。
【課題を解決するための手段】
【０００４】
本発明は、中身を運搬するための空間を生成する収容部本体と、この収容部本体に着脱可能に装着される取替部分とを具備する、取替アクセサリを含む収納用品である。取替部分は、底面パネルと、底面パネルの片側に接続される前面区分と、前面区分と反対である底面パネルの第２側に接続される背面区分と、一つ以上のハンドルとを具備し、底面パネルは、いかなる側面部分にも装着されていない開放端部である少なくとも二つの側を有する。一つ以上のハンドルの両端部は前面および背面区分に接続される。一つ以上のハンドルの各々は、収容部本体により隠蔽または被覆される内側ストラップとも呼ばれる内側部と、露出されている外側部とを具備する。この収納用品はさらに、収容部本体と取替部分とを固定する少なくとも一つの接続手段を具備する。接続手段の雄および雌部分は、ハンドル部分の底面パネルと収容部本体の底面のいずれかに構成されるとよい。
【０００５】
本発明の収容部本体はさらに、その垂直軸に沿った一つ以上の溝部を具備し、一つ以上のハンドルの内側部がその一つ以上の溝部を通ることにより、ハンドル部分を収容部本体に固定する。
【図面の簡単な説明】
【０００６】
【図１】本発明の一実施形態による収容部本体に固定されたハンドル部分を示す。
【図２】様々な美的外観を持つ本発明のバッグを製作するためのハンドル部分の一変形を示す。
【図３】異なる美的外観を持つ本発明のバッグを製作するためのハンドル部分の別の変形を示す。
【考案を実施するための形態】
【０００７】
本発明の原理を説明するのに役立つ、本発明の現時点での好適な実施形態について詳細な言及を行う。ここに開示される実施形態または例は当業者が発明を実施するのに充分に詳細に記載され、他の実施形態が利用されてもよいことと、本発明の趣旨を逸脱せずに変更が加えられてもよいことが理解されるべきである。本発明の非限定的な実施形態が、添付の図を参照して以下で例示的に記載される。
【０００８】
本発明は、利用者の必要性に従ってその美的外観が変更され得る収納用品を提供する。この用品は、多様なデザインの収納用品を製作するため相互に着脱可能に装着される収容部本体と取替部分とを具備する。とりわけ、本発明の収納用品はバッグである。本発明は、異なるスタイルの多数のハンドバッグの購入を伴わずに多数の装用状況に合うように外観と印象の両方のカスタマイズを可能にする。本発明は、交換可能部品を含む従来のハンドバッグよりも確実に収容部本体が取替部分に固定されるように構成され、本発明の取替特徴が収納用品の美的外観およびデザインに影響しないようにまたはこれを制限しないように取替部分の一部が隠蔽され得る。
【０００９】
図１乃至３に見られるように、本発明は、中身を運搬するための空間を生成する収容部本体１０と、この収容部本体に着脱可能に装着される取替部分とを具備する。取替部分は、底面パネル２３と、底面パネルの片側に接続される前面区分２１と、前面区分と反対である底面パネルの第２側に接続される背面区分２２と、一つ以上のハンドル３０とを具備し、いかなる側面部分にも装着されていない開放端部である少なくとも二つの側を底面パネルが有し、一つ以上のハンドルの二つの端部が前面および背面区分に接続される。一つ以上のハンドルの各々は、収容部本体により隠蔽または被覆される内側部３１（内側ストラップ）と、露出した外側部分３２とを具備する。本発明はさらに、少なくとも一つの接続手段４０を具備する。一実施形態では、ハンドル部分の底面パネルと収容部本体の底面のいずれかに少なくとも一つの接続手段が構成される。
【００１０】
一実施形態では、収容部本体の垂直軸に沿った一つ以上の溝部５０を本発明の収容部本体がさらに具備し、上記一つ以上のハンドルの上記内側部がその一つ以上の溝部を通る。この実施形態では、本発明で製作され得るバッグのスタイルおよびデザインの柔軟性を高めるとともに取替部分を収容部本体に確実に固定するため、内側部は見えないように隠蔽されている。当該技術には、交換可能部分を備えるハンドバッグが存在する。しかし、交換可能なコンセプトを持つ既存の製品は従来デザインの要素に対して技術的に不適合であると思われ、その美的外観および機能性は限定されたままである。米国特許第６，９７１，４２４号は、前面および背面区分と底面パネルと二つの側面区分と二つのハンドルとを有するフレームと、フレームにぴったりフィットするバッグ部分とを具備する交換可能なハンドバッグを示している。第６，９７１，４２４号特許は、取替特徴を持つハンドバッグも開示しているが、二つの側面区分を含むフレームを具備し、隠蔽は不可能であり、これがバッグのスタイルおよびデザインを潜在的に減少させる。
【００１１】
一実施形態において、一つ以上のハンドルは、前面および背面区分を接続するフラップ状部材である（図２）。別の実施形態では、取替部分は第１環状ストラップと第２環状ストラップとを具備する（図３）。第１および第２環状ストラップの各々は、背面区分と前面区分にそれぞれ接続される二つの端部を有する。別の実施形態では、第１および第２環状ストラップの二つの端部の間の長さは調節可能である。また別の実施形態では、第１および第２環状ストラップを一緒に接続する接続具を本発明が具備する。
【００１２】
無数のスタイルおよびデザインのカスタマイズ収納用品を確立するように本発明の構成要素はいかなる材料や布地、形状、色、およびサイズのものであってもよいことが理解されるべきである。本発明の取替特徴により、取替アクセサリを含むこの収納用品は、ハンドバッグ、ブリーフケース、運動用バッグ、ショルダーバッグ、ダッフルバッグ、ラップトップバッグ、メッセンジャーバッグ、学生鞄、およびトートバッグに適しているとよいが、これらに限定されるわけではない。本発明は、電子機器用カバースリーブ（スマートフォンおよびタブレットコンピュータなど）にも適している。このような実施形態では、収容部本体の形状およびサイズは電子機器の形状に適合している。接続手段が充分な重量に耐え得る限り、取替部分を収容部本体に固定するのに当該技術で利用可能ないかなる接続手段が本発明で使用されてもよい。本発明に適した接続手段の例は、バックル、面ファスナ（Ｖｅｌｃｒｏ（登録商標））、および磁気ファスナを含むが、これらに限定されるわけではない。
【００１３】
さらに詳述しなくても、当業者は本文の記載に基づいて本発明の趣旨を逸脱せずに本発明を変形して、本発明を充分な程度に利用することができると確信している。ここに挙げられたすべての刊行物は、その全体が参考として取り入れられる。
【符号の説明】
【００１４】
１０  収容部本体
２１  前面区分
２２  背面区分
２３  底面パネル
３０  ハンドル
３１  内側部
３２  外側部分
４０  接続手段
５０  溝部
【図１】
0003188699.tif 000003
【図２】
0003188699.tif 000004
【図３】
0003188699.tif 000005
【手続補正書】
【提出日】平成25年11月25日(2013.11.25)
【手続補正１】
【補正対象書類名】実用新案登録請求の範囲
【補正対象項目名】全文
【補正方法】変更
【補正の内容】
【実用新案登録請求の範囲】
【請求項１】
収納用品に装着され得る着脱可能アセンブリであって、
前記収納用品を支持するための底面パネルと、
前面区分および背面区分であって、前記底面パネルの二つの両側に接続される前面および背面区分と、
前記前面または背面区分あるいは両方に接続される一つ以上のハンドルと、
を具備し、
前記一つ以上のハンドルの各々が、前記収納用品の溝部を通る内側部を具備して、見えないように内側部を部分的に隠蔽するとともに前記着脱可能アセンブリを前記収納用品に確実に固定する、
着脱可能アセンブリ。
【請求項２】
前記一つ以上のハンドルが第１環状ストラップと第２環状ストラップとを具備し、前記第１環状ストラップが前記背面区分に接続される二つの端部を有して、前記第２環状ストラップが前記前面区分に接続される二つの端部を有し、前記第１および第２環状ストラップの前記二つの端部の間の長さが調節可能である、請求項１に記載の着脱可能アセンブリ。
【請求項３】
前記着脱可能アセンブリを前記収納用品に固定する一つ以上の接続手段をさらに具備する、請求項２に記載の着脱可能アセンブリ。
【請求項４】
前記接続手段がボタン、バックル、フック、磁気クラスプ、または面ファスナである、請求項３に記載の着脱可能アセンブリ。
【請求項５】
中身を運搬するための空間を生成する収容部本体と、
前記収容部本体に着脱可能に装着される取替部分であって、底面パネルと、前記底面パネルの片側に接続される前面区分と、前記前面区分と反対である前記底面パネルの第２側に接続される背面区分とを具備する取替部分であり、いかなる側面部分にも装着されていない開放端部である少なくとも二つの側を前記底面パネルが有する、取替部分と、
一つ以上のハンドルであって、前記前面および背面区分に両端部が接続される一つ以上のハンドルと、
前記収容部本体を前記取替部分に固定する一つ以上の接続手段と、
を具備し、
前記一つ以上のハンドルの各々が、前記収容部本体により被覆される内側部と、露出される外側部とを具備する、
収納用品。